(57)【要約】【課題】  調理器本体の下方にガス配管を配設すると共に、収納ケースを収納したものにおいて、収納ケースの引き出し時におけるガス配管の露出を防止する事を目的とするものである。【解決手段】  台脚に調理器本体を載置すると共に、この調理器本体の下方にガス配管を配設し、かつ調理器本体下方の台脚内に収納ケースを前後方向に摺動自在に収納し、この収納ケースの前端に、台脚の前面を開閉自在に閉塞する蹴込み扉を固定したものにおいて、ガス配管の少なくとも前面を配管カバーにより被覆して成るものである。【選択図】        図１
2007085646.tif 000002
【特許請求の範囲】
【請求項１】
台脚に調理器本体を載置すると共に、この調理器本体の下方にガス配管を配設し、かつ上記調理器本体下方の台脚内に収納ケースを前後方向に摺動自在に収納し、この収納ケースの前端に、上記台脚の前面を開閉自在に閉塞する蹴込み扉を固定したものにおいて、上記ガス配管の少なくとも前面を配管カバーにより被覆した事を特徴とする床置型調理器。
【請求項２】
上記ガス配管の適所に元栓を装着すると共に、上記配管カバーの元栓の前面に対向する位置に開閉カバーを設けた事を特徴とする、上記請求項１に記載の床置型調理器。
【請求項３】
上記配管カバーに、少なくとも上記ガス配管の底面を被覆する底カバーを一体的に形成した事を特徴とする、上記請求項１〜２に記載の床置型調理器。
【発明の詳細な説明】
【技術分野】
【０００１】
本発明は、システムキッチン等の調理台に予め設けられた収納空間に床置設置される床置型調理器に関する。
【背景技術】
【０００２】
システムキッチン等の調理台に収納設置される床置型調理器では、例えば特許文献１に示される様に、調理器本体を載置する台脚内の空間に収納ケースを前後方向に出し入れ自在に収納装着し、この収納ケース内に調理器本体に用いる網棚や角皿等の付属部品や、台所用品を収納する様に構成している。
【特許文献１】特開２００１−２８９４４４号公報
【発明の開示】
【発明が解決しようとする課題】
【０００３】
一方、上記特許文献１に示される調理器では、調理器本体の底部前面にガス配管を配設している為、収納ケースを引き出すとガス配管が露出し、高級感のあるシステムキッチンに組み込んだ場合には美観を損ね、かつ収納ケース内に付属部品等を出し入れする際に、これらがガス配管に当たって損傷する恐れがあるという問題がある。
【０００４】
そこで本発明は、調理器本体を載置する台脚内に収納ケースを装着したものにおいて、この収納ケースの上方に配置されたガス配管の露出を防止する事を目的とする。
【課題を解決するための手段】
【０００５】
本発明の請求項１の構成は、台脚に調理器本体を載置すると共に、この調理器本体の下方にガス配管を配設し、かつ調理器本体下方の台脚内に収納ケースを前後方向に摺動自在に収納し、この収納ケースの前端に、台脚の前面を開閉自在に閉塞する蹴込み扉を固定したものにおいて、ガス配管の少なくとも前面を配管カバーにより被覆して成るものである。
【０００６】
本発明の請求項２の構成は、請求項１の構成において、ガス配管の適所に元栓を装着すると共に、配管カバーの元栓の前面に対向する位置に開閉カバーを設けて成るものである。
【０００７】
本発明の請求項３の構成は、請求項１〜２の構成において、配管カバーに、少なくともガス配管の底面を被覆する底カバーを一体的に形成して成るものである。
【発明の効果】
【０００８】
本発明の請求項１に記載の構成により、ガス配管の少なくとも前面を配管カバーにより被覆したことで、収納ケースを引き出してもガス配管が露出することなく、露出による美観の低下を防止すると共に、収納ケース内に付属品等を出し入れする際にも、これらの付属品等が直接ガス配管に接触することはなく、接触による損傷等を防止する事が出来るものである。
【０００９】
本発明の請求項２に記載の構成により、ガス配管の適所に元栓を設け、この元栓に対向して配管カバーに開閉カバーを設けたことで、配管カバーにより収納ケースを引き出しても美観を損ねることがないと共に、配管カバーを着脱することなく、開閉カバーの開閉により簡単に元栓の開閉操作を行なう事が出来るものである。
【００１０】
本発明の請求項３に記載の構成により、配管カバーに、少なくともガス配管の底面を被覆する底カバーを一体的に形成したことで、何らかの原因によりガス配管部に付着した塵等の落下を底カバーにより受け止め、これらの収納ケース内への落下による付属品等の汚れを防止する事が出来るものである。
【発明を実施するための最良の形態】
【００１１】
本発明の実施例を先ず図１及び図２に基づき説明すると、１はシステムキッチン等の調理台に組み込み設置する調理器本体で、台脚２に上下高さを調節可能に載置されていると共に、内部に前面を開口３し、かつこの開口より被調理物を出し入れする調理室４を区画形成している。
【００１２】
又、上記調理室４の奥部にはガスバーナ５を収納した燃焼室６と、循環ファン７を収納した送風室８を区画形成し、循環ファン７の回転によって、ガスバーナ５の燃焼により発生した燃焼熱気を調理室４内に循環してこの調理室内を加熱する様に構成している。
【００１３】
一方上記台脚２は、左右一対の脚板９、９を前後に配設した連結板１０、１０にて結合して構成していると共に、上記脚板９，９の内側面にレール支持板１１、１１を固定し、かつこれらレール支持板の内側面に可動レール１２，１２前後方向に摺動自在に連結し、これら可動レールに収納ケース１３の左右両側面に固定したガイドレール１４，１４を前後方向に摺動自在に係合することで、収納ケース１３を台脚２内に前後方向にスライド自在に収納する。
【００１４】
上記脚板９、９には、その前後適所に、複数の高さ位置にてネジ孔１５・・を穿孔し、組み込む流し台の高さに合わせてこれらのネジ孔の高さ位置を選択して調理器本体１をネジ１６・・止めすることで、調理器本体１の高さを調節出来るものである。
【００１５】
１７は、上記台脚２内で、かつ上記調理器本体１の底板１８の下方前面に配設されたガス配管で、その正面から見て右端に元栓１９を接続している。
【００１６】
２０は上記収納ケース１３の前端面に装着した蹴込み扉で、収納ケース１３の前壁を形成し、かつ横幅寸法を上記可動レール１２、１２の横幅よりも広く形成したベース板２１と、このベース板の前面にビス２２・により固定した前板２３とから構成し、ベース板２１の前面左右両端部に、複数の高さ位置にネジ孔２４・・を穿孔し、上記調理器本体１の高さ位置に合わせてネジ孔２４・・の高さを選択設定することで、前板２３の高さ位置を調節する様に構成している。
【００１７】
２５は、上記脚板９の前端部で、上記ベース板２１に対向位置して装着したマグネットキャッチで、上記収納ケース１３の押し込み時に、ベース板２１の内面に吸着して、収納ケース１３を押し込み位置に固定するものである。
【００１８】
尚、上記収納ケース１３は、上記ガイドレール１４，１４を固定する側板２６，２６と、後板２７と、底板２８と上記蹴込み扉２０とで構成し、図示しない角皿や網棚等の付属品や台所用品の収納に用いる。
【００１９】
３０は上記ガス配管１７の前面にこれを被覆する様に装着した配管カバーで、ガス配管１７の底面並びに調理器本体１の底板１８の下方を被覆する底カバー３１を一体的に形成している。
【００２０】
そして、上記配管カバー３０によりガス配管１７の前面を被覆することで、収納ケース１３を引き出してもガス配管１７が露出せず、引き出し時の美観を損ねることが無いと共に、底カバー３１によりガス配管１７や底板１８の下方を被覆したことで、循環ファン７の回転等によりガス配管１７に付着した塵や、底板１８に穿孔した通気孔３２から落下する料理かす等の収納ケース１３内への落下を防止する事が出来るものである。
【００２１】
尚、上記底板１８に穿孔した通気孔３２は、調理室４の底ケース３３の下方に配置した、ターンテーブル３４を回転駆動するギヤードモータ３５等に冷却用の空気を供給するものである。
【００２２】
又、上記配管カバー３０には、その元栓１９に対向位置して開閉カバー３６を左右方向に開閉自在に装着していると共に、この開閉カバーには摘み３７を固定し、元栓１９の開閉操作時には、図３にても示す様に収納ケース１３を引き出した後、開閉カバー３６をスライド操作して開く事で、簡単に行なう事が出来る。
【００２３】
これにより、元栓１９の開閉に際しても、配管カバー３０によりガス配管１７のほとんどを被覆し、ガス配管の露出による美観の低下を防止すると共に、開閉カバー３６の開閉により比較的簡単に元栓１９の開閉を行なう事が出来るものである。
【００２４】
上記実施例では、配管カバー３０に底カバー３１を一体形成しているが、これに限定されることなく、例えば配管カバー３０にてガス配管１７の前面と底面を被覆する様に構成し、底カバー３１は必要に応じて装着する様に構成しても良い。
【００２５】
又、上記実施例では開閉カバー３６を横方向にスライドして開閉する様に構成しているが、ヒンジにより上下方向に開閉する様に構成しても良い。
【図面の簡単な説明】
【００２６】
【図１】本発明による実施例を示す斜視図である。
【図２】同じく側面縦断面図である。
【図３】同じく操作状態を示す斜視図である。
【符号の説明】
【００２７】
１    調理器本体
２    台脚
１３  収納ケース
１７  ガス配管
１９  元栓
２０  蹴込み扉
３０  配管カバー
３１  底カバー
３６  開閉カバー
【図１】
2007085646.tif 000003
【図２】
2007085646.tif 000004
【図３】
2007085646.tif 000005